(57)【要約】【課題】簡易な構成で、車両運転中の安全確保のために動画情報の出力を停止できる情報端末を提供すること【解決手段】本発明の情報端末３００は、ハンズフリー装置４００と接続させることが可能である。情報端末３００は、ハンズフリー装置４００と接続しているか否かを検知して、ハンズフリー装置４００と接続していると検知した場合に、接続検知信号Ｓ１を出力する接続状態検知手段１２と、接続検知信号Ｓ１が入力される出力制御手段１３と、出力制御手段１３の指示に基づいて、動画情報を出力する出力手段１１とを備える。出力制御手段１３は、接続検知信号Ｓ１が入力された場合に、出力手段１１が動画情報を出力しないように命令する動画情報出力停止信号Ｓ２を出力手段１１に出力する。【選択図】図１
2006319494.tif 000002
【特許請求の範囲】
【請求項１】
ハンズフリー装置と接続可能な情報端末であって、
前記ハンズフリー装置と接続しているか否かを検知して、前記ハンズフリー装置と接続していると検知した場合に、接続検知信号を出力する接続状態検知手段と、
前記接続検知信号が入力される出力制御手段と、
前記出力制御手段の指示に基づいて、動画情報を出力する出力手段と、を備え、
前記出力制御手段は、前記接続検知信号が入力された場合に、前記出力手段が前記動画情報を出力しないように命令する動画情報出力停止信号を前記出力手段に出力する、情報端末。
【請求項２】
前記出力手段から出力された前記動画情報に基づいて、動画を表示する提示手段をさらに備える、請求項１に記載の情報端末。
【請求項３】
前記動画情報出力停止信号が前記出力手段に入力された場合に、前記提示手段は、動画の表示を停止する、請求項２に記載の情報端末。
【請求項４】
前記動画情報出力停止信号が前記出力手段に入力された場合に、前記提示手段は、映像の表示を停止する、請求項３に記載の情報端末。
【請求項５】
前記動画情報出力停止信号が前記出力手段に入力された場合に、前記提示手段は、静止画像の表示を行う、請求項３に記載の情報端末。
【請求項６】
前記出力手段は、さらに音声情報を出力し、
前記提示手段は、前記出力手段から出力された前記音声情報に基づいて音声を再生し、
前記動画情報出力停止信号が前記出力手段に入力された場合に、前記提示手段は、動画および音声のうちの音声を選択的に再生する、請求項２から５のいずれかに記載の情報端末。
【請求項７】
請求項１から６のいずれかに記載の情報端末と、前記ハンズフリー装置とを備える、ハンズフリーシステム。
【請求項８】
ハンズフリー装置と接続可能な情報端末の動画情報出力制御方法であって、
前記ハンズフリー装置と接続しているか否かを検知する工程と、
前記ハンズフリー装置と接続していると検知した場合に、動画情報を出力するのを停止する工程とを包含する、動画情報出力制御方法。
【発明の詳細な説明】
【技術分野】
【０００１】
本発明は情報端末に関し、特に、ハンズフリー装置と接続可能で、動画情報を出力することができる情報端末に関する。
【背景技術】
【０００２】
従来より、車両に搭載されるテレビ受信機が提供されている。テレビ受信機は表示部に動画が再生されるので、安全確保のために、車両走行中に運転者が画像を注視するのを防止する構成を有している。
特許文献１の車載用のテレビ受信機は、車両の速度を検出する車速センサと、車速センサから車速情報を得て車両が走行中か否かを判断するシステムコントローラを有する。この車載用のテレビ受信機では、車両走行中にテレビがＯＮ操作されたとき、あるいは、テレビがＯＮ状態にあるときに車両走行状態になったときに、システムコントローラがテレビの映像表示を停止する。
【特許文献１】特開２００４-１８０２０１号公報
【発明の開示】
【発明が解決しようとする課題】
【０００３】
近年、テレビ放送やビデオ画像などの動画を再生できる携帯電話やノートパソコンなどの種々の情報端末が提供されている。これらの情報端末も車両に搭載して使用される場合、車両走行中は運転者が画像を注視するのを防止するように構成されることが望ましいが、具体的な構成は未だ提案されていない。
【０００４】
これらの情報端末に、車速センサからの信号に基づいて画面表示をＯＦＦする特許文献１の構成を採用するとすれば、装置の構成が複雑になり、製造コストが高くなるという問題がある。
【０００５】
本発明は上記課題に鑑みてなされたものであり、簡易な構成で車両運転の安全確保のために動画情報の出力を停止することができる情報端末、および、それを用いたハンズフリーシステム、ならびに、動画情報出力制御方法を提供することを目的とする。
【課題を解決するための手段】
【０００６】
本発明の情報端末は、ハンズフリー装置と接続させることが可能である。本発明の情報端末は、前記ハンズフリー装置と接続しているか否かを検知して、前記ハンズフリー装置と接続していると検知した場合に、接続検知信号を出力する接続状態検知手段と、前記接続検知信号が入力される出力制御手段と、前記出力制御手段の指示に基づいて、動画情報を出力する出力手段と、を備え、前記出力制御手段は、前記接続検知信号が入力された場合に、前記出力手段が前記動画情報を出力しないように命令する動画情報出力停止信号を前記出力手段に出力し、これにより、上記の課題を解決することができる。
【０００７】
前記出力手段から出力された前記動画情報に基づいて、動画を表示する提示手段をさらに備えてもよい。
【０００８】
前記動画情報出力停止信号が前記出力手段に入力された場合に、前記提示手段は、動画の表示を停止してもよい。
【０００９】
前記動画情報出力停止信号が前記出力手段に入力された場合に、前記提示手段は、映像の表示を停止してもよい。
【００１０】
前記動画情報出力停止信号が前記出力手段に入力された場合に、前記提示手段は、静止画像の表示を行ってもよい。
【００１１】
前記出力手段は、さらに、音声情報を出力し、前記提示手段は、前記出力手段から出力された前記音声情報に基づいて音声を再生し、前記動画情報出力停止信号が前記出力手段に入力された場合に、前記提示手段は、動画および音声のうちの音声を選択的に再生してもよい。
【００１２】
本発明のハンズフリーシステムは、上記に記載の情報端末と、前記ハンズフリー装置とを備え、これにより上記の課題を解決することができる。
【００１３】
本発明の動画情報出力制御方法は、ハンズフリー装置と接続可能な情報端末の動画情報出力制御方法であって、前記ハンズフリー装置と前記情報端末とが互いに接続しているか否かを検知する工程と、前記ハンズフリー装置と前記情報端末とが互いに接続していると検知した場合に、動画情報を出力するのを停止する工程とを包含し、これにより上記の課題を解決することができる。
【発明の効果】
【００１４】
本発明の情報端末は、情報端末とハンズフリー装置との接続状態に基づいて、動画情報の出力を制御するので、車速センサによる検知結果に基づいて動画再生を制御する特許文献１のシステムに比べて簡易な構成にすることができ、低い製造コストで作製することができる。
【発明を実施するための最良の形態】
【００１５】
本発明の情報端末は、所定のハンズフリー装置と接続させることができる。ハンズフリーとは情報端末を手に持たないで使える状態のことをいう。ハンズフリー装置とは、情報端末をハンズフリーにできるキットである。ハンズフリー装置は、例えば、スピーカ、マイクおよび通信部を有する。ハンズフリー装置は、上記通信部を介して、有線または無線により、情報端末と接続可能である。情報端末を所定のハンズフリー装置と接続させれば、情報端末を手に持たないで使用することができる。ハンズフリー装置を車載すれば、車両内で情報端末をハンズフリーにできる。
【００１６】
本発明の情報端末は、例えば、携帯電話や、ＰＤＡ（Ｐｅｒｓｏｎａｌ  Ｄｉｇｉｔａｌ  Ａｓｓｉｓｔａｎｃｅ、個人用の携帯情報端末機）、ノートパソコン、携帯ゲーム機器など、動画情報を出力できる様々な端末を含む。本発明の情報端末は、ハンズフリー装置と接続された場合に、動画情報の出力が禁止されるので、車両走行中に、運転者が動画を注視するのを防止することができる。結果として、車両走行中の安全運転を確保できる。
【００１７】
以下、図面を参照しながら、本発明の実施形態の情報端末を説明する。
【００１８】
図１は、情報端末３００の構成を模式的に示すブロック図である。
【００１９】
図１に示すように、情報端末３００は、ハンズフリー装置４００と接続させることができる。ハンズフリー装置４００は、車両に搭載される。情報端末３００は、出力手段１１と、接続状態検知手段１２と、出力制御手段１３とを有している。
【００２０】
出力手段１１は、動画情報を出力する電気回路またはアプリケーションである。動画情報は、例えばデジタルテレビ放送やアナログテレビ放送、テレビ電話、映画などの動画コンテンツを含む。出力手段１１は、出力制御手段１３の指示に基づいて動画情報を出力する。
【００２１】
接続状態検知手段１２は、情報端末３００とハンズフリー装置４００とが互いに接続しているか否かを検知し、情報端末３００とハンズフリー装置４００とが互いに接続していると検知した場合に、接続検知信号Ｓ１を出力する電気回路またはアプリケーション等である。
【００２２】
ここで、ハンズフリー装置４００と情報端末３００とが互いに接続しているとは、ハンズフリー装置４００と情報端末３００とが有線または無線で互いに接続されていることをいう。
【００２３】
ハンズフリー装置と情報端末３００とが有線で接続された状態とは、例えば、情報端末３００のＵＳＢジャックやヘッドホンジャックなどの外部接続部にハンズフリー装置４００のケーブル等が直接、または変換アダプタを介して間接的に挿入された場合や、情報端末３００の外部接続部に車据置型のハンズフリー装置４００のケーブルが直接、または変換アダプタを介して間接的に挿入された場合を含む。
【００２４】
ハンズフリー装置４００と情報端末３００とが無線で接続された状態とは、例えば、情報端末３００とハンズフリー装置４００とが赤外線やＢｌｕｅｔｏｏｔｈ（ブルートゥース、登録商標）技術によって接続された場合（情報端末とハンズフリー装置とが無線到達圏内にある場合）を含む。
【００２５】
上記接続検知信号Ｓ１は、出力制御手段１３に入力される。出力制御手段１３は、上記接続検知信号Ｓ１が入力された場合に、出力手段１１が動画情報を出力しないように命令する動画情報出力停止信号Ｓ２を出力手段１１に出力する電気回路またはアプリケーションである。出力手段１１に動画情報出力停止信号Ｓ２が入力されると、出力手段１１は動画情報を出力することが禁止され、動画情報を出力しない。
【００２６】
上述したように、本発明の情報端末３００では、情報端末３００とハンズフリー装置４００とが互いに接続しているか否かによって、動画情報の出力を制御するので、車速センサによる検知結果に基づいて動画再生を制御する特許文献１のシステムに比べて簡易な構成にすることができ、低い製造コストで作製することができる。
【００２７】
情報端末３００は、出力手段１１から出力される動画情報に基づいて、動画を表示する提示手段をさらに備えてもよい。提示手段は、例えば、液晶ディスプレイや有機ＥＬディスプレイなどの表示素子を含む。
【００２８】
ハンズフリー装置４００と情報端末３００とが互いに接続された場合、出力手段１１に動画情報出力停止信号Ｓ２が入力されて、出力手段１１が動画情報の出力を停止するので、提示手段は動画の表示を停止する。提示手段は、少なくとも動画の表示を停止すればよく、例えば、動画コンテンツの再生を中止して映像の表示を停止してもよいし、動画コンテンツの再生を停止して、静止画像を表示してもよい。
【００２９】
出力手段１１は、動画情報に加えて音声情報を出力してもよい。
【００３０】
提示手段は、例えば、さらにスピーカを含み、出力手段１１から出力された音声情報に基づいて、音声を再生してもよい。
【００３１】
出力手段１１に動画情報出力停止信号Ｓ２が入力された場合、提示手段は、動画および音声のうちの音声を選択的に再生することができる。
【００３２】
図２は、情報端末３００の動画情報出力制御処理を示すフローチャートである。以下、図２を参照しながら情報端末３００の動画情報出力制御処理を説明する。
【００３３】
図２のＳ１０１において、情報端末３００の接続状態検知手段１２は、ハンズフリー装置４００と情報端末３００とが互いに接続しているか否かを検知する。
【００３４】
ハンズフリー装置４００と情報端末３００とが互いに接続していると接続状態検知手段１２が検知した場合、Ｓ１０２において出力手段１１は動画情報の出力を停止する。
【００３５】
一方、ハンズフリー装置４００と情報端末３００とが互いに接続していると接続状態検知手段１２が検知しない場合、図２のＳ１０３において出力手段１１は動画情報を出力する。
【００３６】
以下、実施例を説明する。以下では、携帯電話を例示して本発明の実施形態の情報端末を説明するが、本発明はこれに限定されない。
【００３７】
図３は、携帯電話３００Ａおよびハンズフリー装置４００の構成を模式的に示すブロック図である。
【００３８】
携帯電話３００Ａは、入力装置５と、入力手段４１と、コンテンツ再生手段２と、出力手段１１と、出力制御手段１３と、接続状態検知手段１２と、提示手段３と、近距離無線通信部３４ａとを有している。
【００３９】
携帯電話３００Ａは、入力装置５を用いて動画の撮影および音声の録音を行い、その動画および音声を再生することができる。また、携帯電話３００Ａは、コンテンツ再生手段２が有する無線通信部２１を用いて動画の無線データを受信し、再生することができる。具体的には、テレビ電話を行ったり、サーバから動画コンテンツをダウンロードすることができる。さらに、携帯電話３００Ａは、コンテンツ再生手段２が有する放送受信部２２を用いてデジタルテレビ放送およびアナログテレビ放送を受信し、再生することができる。
【００４０】
携帯電話３００Ａと接続されるハンズフリー装置４００は、近距離無線通信部３４ｂと、近距離無線通信部３４ｂに接続されたスピーカ３２およびマイク３３とを有している。ハンズフリー装置４００は、車両に搭載される。ハンズフリー装置４００の近距離無線通信部３４ｂおよび携帯電話３００Ａの近距離無線通信部３４ａは、Ｂｌｕｅｔｏｏｔｈ（ブルートゥース、登録商標）による無線通信機能を有する。
【００４１】
携帯電話３００Ａの入力装置５はマイク５１およびカメラ５２を有する。カメラ５２を用いて動画を撮影し、マイク５１を通して音声を録音することができる。携帯電話３００Ａは、入力装置５を用いて、画像情報と音声情報とを含む入力情報を取得することができる。この入力情報は、入力手段４１に送られる。
【００４２】
入力手段４１は、上記入力情報に対して所定のＡＤ変換処理を行う。従って、入力装置５から入力された上記画像情報および音声情報は、それぞれ、入力手段４１において所定のＡＤ変換処理が施される。
【００４３】
上記ＡＤ変換処理が施された入力情報は、コンテンツ再生手段２に入力される。
【００４４】
ＡＤ変換処理が施された音声情報は、コンテンツ再生手段２の音声符号手段２１４に入力されて、符号化される。同様に、ＡＤ変換処理が施された画像情報は、コンテンツ再生手段２の画像符号手段２１５に入力されて、符号化される。符号化された音声情報と画像情報とは、結合手段２１０に入力されて結合処理される。結合処理された音声および画像情報は、分離手段２１３に送られる。上記音声および画像情報は分離手段２１３において、音声情報と画像情報とに分離される。
【００４５】
音声情報は、コンテンツ再生手段２の音声復号手段２１６に入力されて、復号化される。同様に、画像情報は、コンテンツ再生手段２の画像復号手段２１７に入力されて、復号化される。復号化された画像情報と音声情報とは、それぞれ、出力手段１１に入力される。
【００４６】
コンテンツ再生手段２の無線通信部２１は、他の情報端末やサーバなどから無線通信手段２１１を介して音声および画像情報を含む無線データを受信することができる。すなわち、無線通信部２１は、他の携帯電話からテレビ電話の受信を行い、無線通信手段２１１を介して音声および画像情報を含む入力情報を取得することができる。また、無線通信部２１は、サーバから無線通信手段２１１を介して所望のコンテンツをダウンロードして、音声および画像情報を含む入力情報を取得することができる。
【００４７】
入力情報は分離手段２１３に送られて、音声情報と画像情報とに分離される。音声情報は、コンテンツ再生手段２の音声復号手段２１６に入力されて、復号化される。同様に、画像情報は、コンテンツ再生手段２の画像復号手段２１７に入力されて、復号化される。復号化された画像情報と音声情報とは、それぞれ、出力手段１１に入力される。
【００４８】
コンテンツ再生手段２の放送受信部２２は、アナログテレビ放送およびデジタルテレビ放送を受信する。放送受信手段２１２において放送データに所定の信号処理を施す。所定の信号処理とは、例えば、受信した放送波を検波して、ストリームデータを生成することをいう。
【００４９】
所定の信号処理が施された放送データは、分離手段２１３に送られて、分離手段２１３によって音声情報と画像情報とに分離される。音声情報は、放送受信部２２の音声復号手段２１６に入力されて、復号化される。同様に、画像情報は、放送受信部２２の画像復号手段２１７に入力されて、復号化される。復号化された画像情報と音声情報とは、それぞれ、出力手段１１に入力される。
【００５０】
出力手段１１は、出力制御手段１３を介して接続状態検知手段１２に接続されている。接続状態検知手段１２は、ハンズフリー装置４００と携帯電話３００Ａとが接続状態にあるかを検知する。携帯電話３００Ａの近距離無線通信部３４ａとハンズフリー装置４００の近距離無線通信部３４ｂとは、Ｂｌｕｅｔｏｏｔｈ（ブルートゥース、登録商標）による無線通信機能を有する。したがって、ハンズフリー装置４００と携帯電話３００Ａとの距離が約１０ｍ以内（圏内）であれば、ハンズフリー装置４００の近距離無線通信部３４ｂと携帯電話３００Ａの近距離無線通信部３４ａとが無線接続されるので、接続状態検知手段１２は、ハンズフリー装置４００と携帯電話３００Ａとが接続状態にあると検知する。ハンズフリー装置４００と携帯電話３００Ａとが接続状態にあると接続状態検知手段１２が検知した場合、接続状態検知手段１２は、接続検知信号Ｓ１を出力制御手段１３に送る。接続検知信号Ｓ１が入力された出力制御手段１３は、出力手段１１が動画情報を出力しないように命令する動画情報出力停止信号Ｓ２を出力手段１１に出力する。出力手段１１は、動画情報出力停止信号Ｓ２が入力されると、動画情報を出力することが禁止され、動画情報を出力しない。
【００５１】
一方、ハンズフリー装置４００と携帯電話３００Ａとの距離が約１０ｍ超（圏外）であれば、ハンズフリー装置４００の近距離無線通信部３４ｂと携帯電話３００Ａの近距離無線通信部３４ａとが接続されないので、接続状態検知手段１２は、ハンズフリー装置４００と携帯電話３００Ａとが接続状態にあると検知しない。この場合、コンテンツ再生手段２から送られた音声情報および画像情報は、出力手段１１を介して提示手段３に送られる。
【００５２】
提示手段３は、メイン液晶ディスプレイ３５と、サブ液晶ディスプレイ３６と、スピーカ３１とを有している。画像情報が出力制御手段１の出力手段１１から出力されると、メイン液晶ディスプレイ３５およびサブ液晶ディスプレイ３６に表示される。また、音声情報が出力制御手段１から出力されると、スピーカ３１から再生される。ハンズフリー装置４００と携帯電話３００Ａとが接続されていれば、音声情報は、ハンズフリー装置４００のスピーカ３２から再生される。
【００５３】
例えば携帯電話３００Ａが入力装置５を用いて取得した動画の再生を行っているとき、または、無線通信手段２１１を用いてテレビ電話の受信を行っているとき、または、無線通信手段２１１を用いてダウンロードした動画情報を再生しているときに、動画情報出力停止信号Ｓ２が出力制御手段１３から出力手段１１に出力された場合、メイン液晶ディスプレイ３５およびサブ液晶ディスプレイ３６における映像の表示が停止される。あるいは、メイン液晶ディスプレイ３５およびサブ液晶ディスプレイ３６における動画の表示が停止されて、静止画像が表示されてもよい。動画の表示が停止されて、音声のみがスピーカ３２から再生されてもよい。
【００５４】
また、例えば携帯電話３００Ａが放送受信手段２１２を用いて受信したテレビ放送を再生しているときに、動画情報出力停止信号Ｓ２が出力制御手段１３から出力手段１１に出力された場合、テレビ放送の映像の表示が停止されて、メイン液晶ディスプレイ３５およびサブ液晶ディスプレイ３６における動画の表示が停止される。あるいは、メイン液晶ディスプレイ３５およびサブ液晶ディスプレイ３６における動画の表示が停止されて、静止画像が表示されてもよい。動画の表示が停止されて、音声のみがスピーカ３２から再生されてもよい。
【００５５】
一方、ハンズフリー装置４００と携帯電話３００Ａとが接続状態にあると接続状態検知手段１２が検知しない場合、メイン液晶ディスプレイ３５およびサブ液晶ディスプレイ３６に動画が継続的に再生され、かつ、スピーカ３１から音声が再生される。
【００５６】
本発明の構成を採用しない従来の一般的な携帯電話では、ハンズフリー装置と携帯電話とが互いに接続している場合であっても、動画情報が提示手段に表示されていた。従って、車両走行中に運転者（ユーザ）が動画を注視してしまうので、安全運転を確保できなかった。これに対して、本実施例の携帯電話３００Ａでは、ハンズフリー装置４００と携帯電話３００Ａとが互いに接続している場合、携帯電話３００Ａにおける動画の表示が停止される。従って、車両走行中に運転者（ユーザ）が動画を注視するのを防止でき、安全運転を確保できる。
【００５７】
本実施例の携帯電話３００Ａは、ハンズフリー装置４００と携帯電話３００Ａとが接続状態にあるときと非接続状態にあるときのうち、接続状態にあるときに選択的に動画の表示を停止する構成を有するので、車速センサによる検知結果に基づいて動画再生を制御する特許文献１のシステムに比べて簡易な構成である。
【００５８】
なお、上記では、ハンズフリー装置４００が、スピーカ３２とマイク３３と近距無線通信部３４ｂとを有する場合を例示したが、ハンズフリー装置はこれに限定されない。例えば、ハンズフリー装置本体がマイクを有さず、携帯電話のマイクを使用するタイプのハンズフリー装置を用いることもできる。
【産業上の利用可能性】
【００５９】
本発明は、例えば、携帯電話、ＰＤＡやノートパソコン、携帯ゲーム機器などの様々な情報端末に好適に利用される。
【図面の簡単な説明】
【００６０】
【図１】本発明の一実施形態の情報端末３００の構成を模式的に示すブロック図
【図２】情報端末３００の出力制御処理を示すフローチャート
【図３】実施例の携帯電話３００Ａおよびハンズフリー装置４００の構成を模式的に示すブロック図
【符号の説明】
【００６１】
２  コンテンツ再生手段
３  提示手段
５  入力装置
１１  出力手段
１２  接続状態検知手段
１３  出力制御手段
２１  無線通信部
２２  放送受信部
３１  スピーカ
３２  スピーカ
３３  マイク
３４ａ  近距離無線通信部
３４ｂ  近距離無線通信部
３５  メイン液晶ディスプレイ
３６  サブ液晶ディスプレイ
２１０  結合手段
２１１  無線通信手段
２１２  放送受信手段
２１３  分離手段
２１４  音声符号手段
２１５  画像符号手段
２１６  音声復号手段
２１７  画像復号手段
３００  情報端末
３００Ａ  携帯電話
４００  ハンズフリー装置
【図１】
2006319494.tif 000003
【図２】
2006319494.tif 000004
【図３】
2006319494.tif 000005